【手続補正書】
【提出日】平成28年1月26日(2016.1.26)
【手続補正１】
【補正対象書類名】明細書
【補正対象項目名】０００７
【補正方法】変更
【補正の内容】
【０００７】
（１）記録材が載置されて昇降可能な昇降板と、前記昇降板を昇降させる昇降手段と、前記昇降手段により上昇された前記昇降板に載置されている記録材と当接し、回転することによって前記当接した記録材を給送する給送手段と、回転することによって前記昇降手段と前記給送手段を駆動する駆動源と、前記駆動源が回転するように前記駆動源を制御する制御手段と、を有し、第一の回転速度で前記駆動源が回転するように前記制御手段が前記駆動源を制御する間に、前記給送手段が前記昇降板又は前記昇降板に載置されている記録材と当接して、前記給送手段が回転できない状態が生じた場合、前記制御手段は、前記第一の回転速度よりも遅い第二の回転速度で前記駆動源が回転するように前記駆動源を制御することを特徴とする画像形成装置。
【手続補正２】
【補正対象書類名】明細書
【補正対象項目名】０００８
【補正方法】変更
【補正の内容】
【０００８】
（２）記録材が載置されて昇降可能な昇降板と、前記昇降板を昇降させる昇降手段と、前記昇降手段により上昇された前記昇降板に載置されている記録材と当接し、回転することによって前記当接した記録材を給送する給送手段と、前記給送手段により給送された記録材を検知する検知手段と、回転することによって前記昇降手段と前記給送手段を駆動する駆動源と、前記駆動源が回転するように前記駆動源を制御する制御手段と、を有し、第一の回転速度で前記駆動源が回転するように前記制御手段が前記駆動源を制御してから、第一の所定時間が経過するまでに前記検知手段が記録材を検知しない場合、前記制御手段は、前記第一の回転速度よりも遅い第二の回転速度で前記駆動源が回転するように前記駆動源を制御することを特徴とする画像形成装置。
【手続補正３】
【補正対象書類名】明細書
【補正対象項目名】０００９
【補正方法】変更
【補正の内容】
【０００９】
（３）記録材が載置されて昇降可能な昇降板と、前記昇降板を昇降させる昇降手段と、前記昇降手段により上昇された前記昇降板に載置されている記録材と当接し、回転することによって前記当接した記録材を給送する給送手段と、回転することによって前記昇降手段と前記給送手段を駆動する駆動源と、前記駆動源が回転するように前記駆動源を制御する制御手段と、を有し、第一の電流値で前記駆動源が回転するように前記制御手段が前記駆動源を制御する間に、前記給送手段が前記昇降板又は前記昇降板に載置されている記録材と当接して、前記給送手段が回転できない状態が生じた場合、前記制御手段は、前記第一の電流値よりも大きい第二の電流値で前記駆動源が回転するように前記駆動源を制御することを特徴とする画像形成装置。
【手続補正４】
【補正対象書類名】明細書
【補正対象項目名】００１０
【補正方法】変更
【補正の内容】
【００１０】
（４）記録材が載置されて昇降可能な昇降板と、前記昇降板を昇降させる昇降手段と、前記昇降手段により上昇された前記昇降板に載置されている記録材と当接し、回転することによって前記当接した記録材を給送する給送手段と、前記給送手段により給送された記録材を検知する検知手段と、回転することによって前記昇降手段と前記給送手段を駆動する駆動源と、前記駆動源が回転するように前記駆動源を制御する制御手段と、を有し、第一の電流値で前記駆動源が回転するように前記制御手段が前記駆動源を制御してから、第一の所定時間が経過するまでに前記検知手段が記録材を検知しない場合、前記制御手段は、前記第一の電流値よりも大きい第二の電流値で前記駆動源が回転するように前記駆動源を制御することを特徴とする画像形成装置。
【手続補正５】
【補正対象書類名】特許請求の範囲
【補正対象項目名】全文
【補正方法】変更
【補正の内容】
【特許請求の範囲】
【請求項１】
記録材が載置されて昇降可能な昇降板と、
前記昇降板を昇降させる昇降手段と、
前記昇降手段により上昇された前記昇降板に載置されている記録材と当接し、回転することによって前記当接した記録材を給送する給送手段と、
回転することによって前記昇降手段と前記給送手段を駆動する駆動源と、
前記駆動源が回転するように前記駆動源を制御する制御手段と、
を有し、
第一の回転速度で前記駆動源が回転するように前記制御手段が前記駆動源を制御する間に、前記給送手段が前記昇降板又は前記昇降板に載置されている記録材と当接して、前記給送手段が回転できない状態が生じた場合、前記制御手段は、前記第一の回転速度よりも遅い第二の回転速度で前記駆動源が回転するように前記駆動源を制御することを特徴とする画像形成装置。
【請求項２】
前記給送手段が前記昇降板及び前記昇降板に載置されている記録材と当接していない状態において、前記制御手段は前記第一の回転速度で前記駆動源が回転するように前記駆動源の制御を開始し、それに伴って、前記昇降手段は前記昇降板を上昇させ、前記給送手段は回転し、前記第一の回転速度で前記駆動源が回転するように前記制御手段が前記駆動源を制御する間に、前記給送手段は前記昇降板及び前記昇降板に載置されている記録材と当接していない状態から前記昇降板又は前記昇降板に載置されている記録材と当接する状態へと変化することを特徴とする請求項１に記載の画像形成装置。
【請求項３】
記録材が載置されて昇降可能な昇降板と、
前記昇降板を昇降させる昇降手段と、
前記昇降手段により上昇された前記昇降板に載置されている記録材と当接し、回転することによって前記当接した記録材を給送する給送手段と、
前記給送手段により給送された記録材を検知する検知手段と、
回転することによって前記昇降手段と前記給送手段を駆動する駆動源と、
前記駆動源が回転するように前記駆動源を制御する制御手段と、
を有し、
第一の回転速度で前記駆動源が回転するように前記制御手段が前記駆動源を制御してから、第一の所定時間が経過するまでに前記検知手段が記録材を検知しない場合、前記制御手段は、前記第一の回転速度よりも遅い第二の回転速度で前記駆動源が回転するように前記駆動源を制御することを特徴とする画像形成装置。
【請求項４】
前記第一の所定時間は、前記駆動源が前記第一の回転速度で回転している場合に、前記給送手段が前記昇降板に載置された記録材の給送を開始してから、前記給送された記録材の搬送方向における先端が前記検知手段に到達するまでに要する時間であることを特徴とする請求項３に記載の画像形成装置。
【請求項５】
前記制御手段は、前記駆動源の回転速度を前記第二の回転速度に変化させてから第二の所定時間が経過した場合、前記駆動源の駆動を停止することを特徴とする請求項３又は４に記載の画像形成装置。
【請求項６】
前記制御手段は、前記駆動源の回転速度を前記第二の回転速度に変化させてから、前記第二の所定時間が経過するまでに前記検知手段が記録材を検知した場合、前記駆動源の駆動を停止することを特徴とする請求項５に記載の画像形成装置。
【請求項７】
前記第二の所定時間は、前記駆動源が前記第二の回転速度で回転している場合に、前記昇降手段が前記昇降板を前記給送手段から最も離れた位置まで下降させるために要する時間であることを特徴とする請求項５又は６に記載の画像形成装置。
【請求項８】
前記駆動源はステッピングモータであり、
前記第二の回転速度は、前記ステッピングモータが回転できる速度範囲の中で最も遅い回転速度であることを特徴とする請求項３乃至７のいずれか１項に記載の画像形成装置。
【請求項９】
前記昇降板に載置された記録材の重送を防ぐための分離パットを有し、
前記分離パットは、前記昇降板上に設けられ、かつ前記給送手段と対向するように設けられていることを特徴とする請求項３乃至８のいずれか１項に記載の画像形成装置。
【請求項１０】
前記昇降板に記録材が載置されていない状態において、前記昇降手段が前記昇降板を上昇させた場合、前記分離パットは前記給送手段と当接することを特徴とする請求項９に記載の画像形成装置。
【請求項１１】
前記分離パットの摩擦係数は前記昇降板の摩擦係数よりも大きいことを特徴とする請求項９又は１０に記載の画像形成装置。
【請求項１２】
前記昇降手段は、前記駆動源からの駆動を受けて回転するカムを有し、前記カムが一回転することによって前記昇降板は一回上昇し下降することを特徴とする請求項３乃至１１のいずれか１項に記載の画像形成装置。
【請求項１３】
前記昇降手段は、前記駆動源からの駆動を受けて回転する第一のギアと、前記第一のギアと係合して回転する第二のギアであって、一回転すると前記第一のギアとの係合が解除される第二のギアと、前記第二のギアと前記カムが固定された回転軸と、前記第一のギアと前記第二のギアを係合させ、前記駆動源からの駆動を前記カムへと伝達するソレノイドと、を有することを特徴とする請求項１２に記載の画像形成装置。
【請求項１４】
前記第一のギアと前記第二のギアを係合させ、前記駆動源からの駆動を前記カムへと伝達するように前記制御手段が前記ソレノイドを制御し、かつ前記第一の回転速度で前記駆動源が回転するように前記制御手段が前記駆動源を制御してから、前記第一の所定時間が経過するまでに前記検知手段が記録材を検知しない場合、前記制御手段は、前記第一のギアと前記第二のギアを係合させ、前記駆動源からの駆動を前記カムへと伝達するように前記ソレノイドを制御することなく、前記第二の回転速度で前記駆動源が回転するように前記駆動源を制御することを特徴とする請求項１３に記載の画像形成装置。
【請求項１５】
前記昇降手段は、前記昇降板を上昇させて前記昇降板に載置されている記録材を前記給送手段に当接させ、前記昇降板を下降させて前記昇降板に載置されている記録材を前記給送手段から離間させることを特徴とする請求項３乃至１４のいずれか１項に記載の画像形成装置。
【請求項１６】
前記制御手段は、前記昇降板に載置されている記録材の種類に応じて、前記第一の回転速度を変更することを特徴とする請求項３乃至１５のいずれか１項に記載の画像形成装置。
【請求項１７】
前記昇降手段は、前記給送手段が記録材を１枚給送する毎に、前記昇降板を一回上昇させ下降させることを特徴とする請求項３乃至１６のいずれか１項に記載の画像形成装置。
【請求項１８】
記録材が載置されて昇降可能な昇降板と、
前記昇降板を昇降させる昇降手段と、
前記昇降手段により上昇された前記昇降板に載置されている記録材と当接し、回転することによって前記当接した記録材を給送する給送手段と、
回転することによって前記昇降手段と前記給送手段を駆動する駆動源と、
前記駆動源が回転するように前記駆動源を制御する制御手段と、
を有し、
第一の電流値で前記駆動源が回転するように前記制御手段が前記駆動源を制御する間に、前記給送手段が前記昇降板又は前記昇降板に載置されている記録材と当接して、前記給送手段が回転できない状態が生じた場合、前記制御手段は、前記第一の電流値よりも大きい第二の電流値で前記駆動源が回転するように前記駆動源を制御することを特徴とする画像形成装置。
【請求項１９】
記録材が載置されて昇降可能な昇降板と、
前記昇降板を昇降させる昇降手段と、
前記昇降手段により上昇された前記昇降板に載置されている記録材と当接し、回転することによって前記当接した記録材を給送する給送手段と、
前記給送手段により給送された記録材を検知する検知手段と、
回転することによって前記昇降手段と前記給送手段を駆動する駆動源と、
前記駆動源が回転するように前記駆動源を制御する制御手段と、
を有し、
第一の電流値で前記駆動源が回転するように前記制御手段が前記駆動源を制御してから、第一の所定時間が経過するまでに前記検知手段が記録材を検知しない場合、前記制御手段は、前記第一の電流値よりも大きい第二の電流値で前記駆動源が回転するように前記駆動源を制御することを特徴とする画像形成装置。